(57)【要約】【課題】コネクターモジュールを提供する。【解決手段】本発明のコネクターモジュールは、単一ポートタイプのコネクター及びマルチポートタイプのコネクターを搭載するために用いられる回路基板を備え、マルチポートタイプのコネクターは、複数の挿入スロットを備え、各々の挿入スロットの長手方向の２つの側辺には、１つの縦列に配列される複数の固定ピンがそれぞれ設置され、単一ポートタイプのコネクターの長手方向の２つの側辺には、１つの縦列に配列される複数の固定ピンがそれぞれ設置され、各々の縦列の複数の固定ピンの排列規則は同じであり、回路基板には、マルチポートタイプのコネクターの複数の縦列に配列された複数の固定ピンに対応して、複数の縦列に配列される複数の固定孔が設けられ、単一ポートタイプのコネクターの複数の固定ピンは、回路基板の複数の固定孔に対応して挿入されて、単一ポートタイプのコネクターは回路基板に固定される。【選択図】図６
2013101928.tif 000002
【特許請求の範囲】
【請求項１】
単一ポートタイプのコネクター及びマルチポートタイプのコネクターを搭載するために用いられる回路基板を備えてなるコネクターモジュールであって、
マルチポートタイプの前記コネクターは、単一ポートタイプの前記コネクターの幅と同じ幅を有する複数の挿入スロットを備え、各々の前記挿入スロットの長手方向の２つの側辺には、１つの縦列に配列される複数の固定ピンがそれぞれ設置され、
単一ポートタイプのコネクターの長手方向の２つの側辺には、１つの縦列に配列される複数の固定ピンがそれぞれ設置され、
マルチポートタイプの前記コネクターにおける前記縦列の固定ピンの配列規則と単一ポートタイプのコネクターにおける前記縦列の複数の固定ピンの配列規則とは同じであり、
前記回路基板には、マルチポートタイプの前記コネクターの複数の縦列に配列された複数の固定ピンに対応して、複数の縦列に配列される複数の固定孔が設けられ、
単一ポートタイプの前記コネクターの２つの縦列に配列される複数の固定ピンは、前記回路基板の隣り合う２つの縦列に配列される複数の固定孔に対応して挿入されて、単一ポートタイプの前記コネクターは前記回路基板に固定されることを特徴とするコネクターモジュール。
【請求項２】
単一ポートタイプの前記コネクターは、筐体及び前記筐体内に設置される信号伝送ブロックを備え、前記信号伝送ブロックは、信号線に接続されて、前記信号線からの信号を前記回路基板に伝送することを特徴とする請求項１に記載のコネクターモジュール。
【請求項３】
前記信号伝送ブロックは、複数の信号ピンを備え、前記回路基板には、前記信号伝送ブロックの複数の信号ピンに対応して複数の信号コンタクトが設置され、単一ポートタイプの前記コネクターが前記回路基板に固定されると、前記信号伝送ブロックの複数の信号ピンは、前記回路基板の複数の信号コンタクトに対応して接続されて、前記信号線の信号を前記回路基板に伝送することを特徴とする請求項２に記載のコネクターモジュール。
【請求項４】
前記筐体は、対向して設置され且つ互いに平行な頂面及び底面と、対向して設置され且つ前記頂面及び前記底面に直交する２つの側面と、前記頂面、前記底面及び２つの前記側面に直交する端面と、を備え、前記筐体の端面に対向する片側には、開口が設けられ、前記信号伝送ブロックは、前記端面に近い箇所に設置され、前記底面の前記信号伝送ブロックに対応する箇所には、貫通孔が設けられて前記信号伝送ブロックを露出することを特徴とする請求項２または３に記載のコネクターモジュール。
【請求項５】
単一ポートタイプの前記コネクターの前記筐体の前記底面の前記開口に近い箇所には、弾性シートが設置され、前記弾性シートには、前記信号線に設置された定位突起と係合して前記信号線を位置決めするために用いられる定位貫通孔が設けられることを特徴とする請求項４に記載のコネクターモジュール。
【発明の詳細な説明】
【技術分野】
【０００１】
本発明は、コネクターモジュールに関するものである。
【背景技術】
【０００２】
ＳＦＰコネクター（Ｓｍａｌｌ  Ｆｏｒｍ−ｆａｃｔｏｒ  Ｐｌｕｇｇａｂｌｅ  Ｃｏｎｎｅｃｔｏｒ，ＳＦＰ  Ｃｏｎｎｅｃｔｏｒ）は、単一ポートタイプ及びデュアルポートタイプの二種に分けられる。単一ポートタイプＳＦＰコネクター及びデュアルポートタイプＳＦＰコネクターは、異なるピンの配列を有するので、異なるピンコンタクトを有する回路基板にそれぞれ搭載する。換言すると、単一ポートタイプＳＦＰコネクター及びデュアルポートタイプＳＦＰコネクターは、同じ回路基板に搭載することができないので、不便であり、生産コストを高める。
【発明の概要】
【発明が解決しようとする課題】
【０００３】
本発明の目的は、前記課題を解決し、単一ポートタイプのコネクター及びマルチポートタイプのコネクターに同時に適用可能なコネクターモジュールを提供することである。
【課題を解決するための手段】
【０００４】
本発明に係るコネクターモジュールは、単一ポートタイプのコネクター及びマルチポートタイプのコネクターを搭載するために用いられる回路基板を備え、マルチポートタイプの前記コネクターは、単一ポートタイプの前記コネクターの幅と同じ幅を有する複数の挿入スロットを備え、各々の前記挿入スロットの長手方向の２つの側辺には、１つの縦列に配列される複数の固定ピンがそれぞれ設置され、単一ポートタイプのコネクターの長手方向の２つの側辺には、１つの縦列に配列される複数の固定ピンがそれぞれ設置され、マルチポートタイプの前記コネクターにおける前記縦列の固定ピンの配列規則と単一ポートタイプのコネクターにおける前記縦列の複数の固定ピンの配列規則とは同じであり、前記回路基板には、マルチポートタイプの前記コネクターの複数の縦列に配列された複数の固定ピンに対応して、複数の縦列に配列される複数の固定孔が設けられ、単一ポートタイプの前記コネクターの２つの縦列に配列される複数の固定ピンは、前記回路基板の隣り合う２つの縦列に配列される複数の固定孔に対応して挿入されて、単一ポートタイプの前記コネクターは前記回路基板に固定される。
【発明の効果】
【０００５】
本発明のコネクターモジュールは、単一ポートタイプのコネクターの２つの側辺に対して２つの縦列に設置される複数の固定ピンの配列規則と、マルチポートタイプのコネクターの各々の挿入スロットの２つの側辺に対して２つの縦列に設置される複数の固定ピンの配列規則と、を対応させて同じとすることにより、単一ポートタイプのコネクター又はマルチポートタイプのコネクターは、同じ配列規則を有する固定孔が設けられた回路基板に搭載することができ、便利であり且つ製品の生産コストを下げる。
【図面の簡単な説明】
【０００６】
【図１】本発明の実施形態に係るマルチポートタイプのコネクターを使用するコネクターモジュールの分解図である。
【図２】図１に示すマルチポートタイプのコネクターを別の視角から見た図である。
【図３】図１に示すコネクターモジュールの組立図である。
【図４】本発明の実施形態に係る単一ポートタイプのコネクターを使用するコネクターモジュールの分解図である。
【図５】図４に示す単一ポートタイプのコネクターを別の視角から見た図である。
【図６】図４に示すコネクターモジュールの組立図である。
【発明を実施するための形態】
【０００７】
以下、図面を参照して、本発明の実施形態について説明する。
【０００８】
図１〜図３を参照すると、本発明の実施形態に係るコネクターモジュール１は、コネクター１０及び前記コネクター１０を搭載する回路基板１２を備える。前記コネクター１０は、筐体１００及び前記筐体１００の内部に設置される信号伝送ブロック１１０を備える。前記信号伝送ブロック１１０は、信号線（図示せず）に接続されて、前記信号線からの信号を前記回路基板１２に伝送する。前記筐体１００は、前記信号伝送ブロック１１０を収容し、且つ前記信号伝送ブロック１１０に接続される信号線を導引して位置決めする。前記コネクター１０は、前記筐体１００を介して前記回路基板１２に搭載される。本実施形態において、前記コネクター１０は、マルチポートタイプのＳＦＰコネクター（Ｓｍａｌｌ  Ｆｏｒｍ−ｆａｃｔｏｒ  Ｐｌｕｇｇａｂｌｅ  Ｃｏｎｎｅｃｔｏｒ，ＳＦＰ  Ｃｏｎｎｅｃｔｏｒ）である。
【０００９】
前記筐体１００は、中空の細長い直方体の枠であり、その長手方向に沿う一端には開口が設けられ、他端は閉鎖される。前記筐体１００は、対向して設置され且つ互いに平行な頂面１０１及び底面１０２と、対向して設置され且つ前記頂面１０１及び前記底面１０２に直交する２つの側面１０３と、前記筐体１００の閉鎖された他端に位置し且つ前記頂面１０１、前記底面１０２及び２つの前記側面１０３に直交する端面１０４と、前記筐体１００の長手方向に沿って延在し且つ前記頂面１０１、前記底面１０２及び前記端面１０４に直交する隔板１０５と、を備える。前記隔板１０５は、前記筐体１００の内部空間を２つの挿入スロット１０６に分割する。２つの前記挿入スロット１０６は、前記筐体１００の短手方向に沿って配列され且つ同じ幅を有しており、前記挿入スロット１０６の一方の側辺が側面１０３によって形成され、他方の側辺が隔板１０５によって形成される。２つの前記挿入スロット１０６の前記端面１０４に近い箇所には、前記信号伝送ブロック１１０がそれぞれに設置される。各々の前記信号伝送ブロック１１０は、２つの横列（筐体１００の短手方向）に配列された複数の信号ピン１１０ａを備える。前記底面１０２の前記信号伝送ブロック１１０に対応する箇所には、貫通孔１０２ａが設けられて前記信号ピン１１０ａを露出する。前記側面１０３には、放熱するために用いられる複数の放熱孔１０３ａが設けられる。前記底面１０２の各々の前記挿入スロット１０６の開口端には、弾性シート１０２ｂが設置される。前記弾性シート１０２ｂには、前記信号線に設置された定位突起（図示せず）と係合して前記信号線を位置決めするために用いられる定位貫通孔１０２ｃが設けられる。各々の前記側面１０３と前記底面１０２との接続箇所には、複数の固定ピン１０７が前記底面１０２に直交する方向に沿って延在されて１つの縦列（筐体１００の長手方向）に間隔をあけて配列される。前記隔板１０５と前記底面１０２との接続箇所には、複数の固定ピン１０７が前記底面１０２に直交する方向に沿って延在されて１つの縦列に間隔をあけて配列される。２つの前記側板１０３及び前記隔板１０５から延在される各々の縦列の複数の固定ピン１０７の数は同じであり、縦列方向における配列規則が同じとなっている。前記端面１０４における前記底面１０２側の縁部には、複数の固定ピン１０８が前記底面１０２に直交する方向に沿って延在されて１つの横列に間隔をあけて配列される。
【００１０】
マルチポートタイプの前記コネクター１０は、前記回路基板１２の辺縁の近傍に搭載される。前記回路基板１２には、マルチポートタイプの前記コネクター１０の３つの縦列に配列された複数の固定ピン１０７に対応して３つの縦列に配列された複数の固定孔１２０が設けられる。前記回路基板１２には、マルチポートタイプの前記コネクター１０の１つの横列に配列された複数の固定ピン１０８に対応して１つの横列に配列された複数の固定孔１２２が設けられる。前記回路基板１２の隣り合う２つの縦列の前記固定孔１２０の間には、各々の前記信号伝送ブロック１１０の２つの横列に配列された複数の信号ピン１１０ａに対応して、２つの横列に配列された複数の信号コンタクト１２４が設置される。マルチポートタイプの前記コネクター１０を前記回路基板１２に搭載すると、マルチポートタイプの前記コネクター１０の３つの縦列に配列された複数の固定ピン１０７は、前記回路基板１２の３つの縦列に配列された複数の前記固定孔１２０に対応して挿入され、マルチポートタイプの前記コネクター１０の１つの横列に配列された複数の固定ピン１０８は、前記回路基板１２の１つの横列に配列された複数の前記固定孔１２２に対応して挿入されて、マルチポートタイプの前記コネクター１０は前記回路基板１２に固定される。前記信号伝送ブロック１１０の複数の信号ピン１１０ａは、前記回路基板１２の対応する信号コンタクト１２４に接続されて、前記信号線からの信号を前記回路基板１２に伝送する。
【００１１】
図４〜図６を参照すると、本発明の実施形態に係わるコネクターモジュール１は、コネクター１０及び前記コネクター１０を搭載する回路基板１２を備える。本実施形態において、前記コネクター１０は、単一ポートタイプのＳＦＰコネクターである。単一ポートタイプの前記コネクター１０の幅は、マルチポートタイプの前記コネクター１０の１つの挿入スロット１０６の幅と同じである。単一ポートタイプの前記コネクター１０は、１つの挿入スロット１０６を備え、前記挿入スロット１０６は、１つの信号伝送ブロック１１０を収容する。単一ポートタイプの前記コネクター１０の筐体１００の２つの側面１０３と底面１０２との２つの接続箇所には複数の固定ピン１０７が前記底面１０２に直交する方向に沿ってそれぞれに延在されて２つの縦列に間隔をあけて配列される。単一ポートタイプの前記コネクター１０の筐体１００の各々の側面１０３から延在される各々の縦列方向における複数の固定ピン１０７の配列規則は、マルチポートタイプの前記コネクター１０の筐体１００の各々の側面１０３から延在される各々の縦列方向における複数の固定ピン１０７の配列規則と同じである。単一ポートタイプの前記コネクター１０の筐体１００の端面１０４における底面１０２側の縁部には、複数の固定ピン１０８が前記底面１０２に直交する方向に沿って延在されて１つの横列に間隔をあけて配列される。前記回路基板１２に設けられた３つの縦列に配列された複数の固定孔１２０は、マルチポートタイプの前記コネクター１０の３つの縦列に配列された複数の固定ピン１０７に対応するので、単一ポートタイプの前記コネクター１０の２つの縦列に配列された複数の固定ピン１０７は、前記回路基板１２の隣り合う２つの縦列の複数の固定孔１２０に対応して挿入することができ、且つ単一ポートタイプの前記コネクター１０の１つの横列に配列された複数の固定ピン１０８は、前記回路基板１２の複数の固定孔１２２に対応して挿入することができ、従って単一ポートタイプの前記コネクター１０は、前記回路基板１２に固定される。
【００１２】
本発明のコネクターモジュール１は、単一ポートタイプのコネクター１０の２つの側面１０３に対して２つの縦列に設置される複数の固定ピン１０７の配列規則と、マルチポートタイプのコネクター１０の２つの側面１０３に対して２つの縦列に設置される複数の固定ピン１０７の配列規則と、を同一とすることにより、単一ポートタイプのコネクター１０又はマルチポートタイプのコネクター１０は、同じ配列規則を有する固定孔１２０が設けられた前記回路基板１２に搭載することができ、便利であり且つ製品の生産コストを下げる。
【００１３】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００１４】
１  コネクターモジュール
１０  コネクター
１２  回路基板
１００  筐体
１０１  頂面
１０２  底面
１０２ａ  貫通孔
１０２ｂ  弾性シート
１０３  側面
１０３ａ  放熱孔
１０４  端面
１０５  隔板
１０６  挿入スロット
１０７  縦列固定ピン
１０８  横列固定ピン
１１０  信号伝送ブロック
１１０ａ  信号ピン
１２０  縦列固定孔
１２２  横列固定孔
１２４  信号コンタクト
【図１】
2013101928.tif 000003
【図２】
2013101928.tif 000004
【図３】
2013101928.tif 000005
【図４】
2013101928.tif 000006
【図５】
2013101928.tif 000007
【図６】
2013101928.tif 000008